(57)【要約】【課題】  基端鎌部と鋸部の互いの係合強度を大きくすることによって、基端鎌部及び鋸部を取付け部に強固に取り付けることができるようにすること。【解決手段】  縁部に鋸歯１３ａが形成されている板状の鋸部１３と、この鋸部１３の基端部に嵌め込むことができ、鋸歯１３ａが形成されている側に向かう縁部に鎌刃１４ａが形成されている基端鎌部１４と、基端鎌部１４を鋸部１３に嵌め込んだ状態で基端鎌部１４及び鋸部１３が着脱自在に取り付けられる取付け部１５とを備え、基端鎌部１４に形成された係合部２０は、鋸部１３に形成された被係合部２１に対して係脱自在に嵌め込んで互いに係合させることができ、係合部２０を被係合部２１に嵌め込んだ状態で、基端鎌部１４が、鋸部１３の板面と平行するいずれの方向にも移動しないように係止する形状に、係合部２０及び被係合部２１が形成されている。【選択図】      図３
0003153730.tif 000002
【実用新案登録請求の範囲】
【請求項１】
縁部に鋸歯が形成されている板状の鋸部と、この鋸部の基端部に嵌め込むことができ前記鋸部の前記鋸歯が形成されている縁部側から突出し、前記鋸歯が形成されている側に向かう縁部に鎌刃が形成されている基端鎌部と、前記基端鎌部を前記鋸部に嵌め込んだ状態で前記基端鎌部及び前記鋸部が着脱自在に取り付けられ、かつ、操作ポールが取り付けられる取付け部とを備える鋸部及び鎌部の取付け構造において、
前記基端鎌部に係合部が形成され、この係合部は、前記鋸部に形成された被係合部に対して係脱自在に嵌め込んで互いに係合させることができ、
前記係合部を前記被係合部に嵌め込んだ状態で、前記基端鎌部が、前記鋸部の板面と平行するいずれの方向にも移動しないように係止する形状に、前記係合部及び前記被係合部が形成されていることを特徴とする鋸部及び鎌部の取付け構造。
【請求項２】
前記係合部は、凸部又は凹部を有するものとして形成され、前記被係合部は、凹部又は凸部を有するものとして形成され、
前記凸部は、その基端部から先端部に向かうに従って拡大するように形成され、
前記凹部は、その開口の入口部から奥側部に向かうに従って拡大するように形成されていることを特徴とする請求項１記載の鋸部及び鎌部の取付け構造。
【請求項３】
前記凸部は、その基端部から先端部に向かうに従って両側に拡大するように形成され、
前記凹部は、その開口の入口部から奥側部に向かうに従って両側に拡大するように形成されていることを特徴とする請求項２記載の鋸部及び鎌部の取付け構造。
【請求項４】
前記鋸部及び前記基端鎌部は、ボルトによって着脱自在に取付け部に挟み込んで取り付けられていることを特徴とする請求項１乃至３のいずれかに記載の鋸部及び鎌部の取付け構造。
【請求項５】
前記鋸部の先端部に設けられ、前記鋸部の前記鋸歯が形成されている縁部側から突出する先端鎌部を更に備え、この先端鎌部は、前記鋸歯が形成されている側に向かう縁部に鎌刃が形成されていることを特徴とする請求項１乃至４のいずれかに記載の鋸部及び鎌部の取付け構造。
【請求項６】
請求項１乃至５のいずれかに記載の鋸部及び鎌部の取付け構造を備え、前記取付け部に前記操作ポールが取り付けられている高枝打ち用鎌付き鋸。
【考案の詳細な説明】
【技術分野】
【０００１】
本考案は、例えば生木の剪定に使用する高枝打ち用鎌付き鋸、及びそれに使用することができる鋸部及び鎌部の取付け構造に関する。
【背景技術】
【０００２】
高枝打ち用鎌付き鋸の一例として、図６〜図８に示すものが考えられる（例えば、特許文献１参照。）。この高枝打ち用鎌付き鋸１は、図６（ａ）、（ｂ）に示すように、鋸歯２aが形成されている板状の鋸部２と、この鋸部２の基端部に嵌め込まれて係合する板状の基端鎌部３とを備え、これら鋸部２及び基端鎌部３は、取付け部５に３本のボルト４で取り付けられている。そして、この取付け部５には、操作ポール６が２本のボルト７で取り付けられている。
【０００３】
そして、鋸部２と基端鎌部３との係合構造は、図７（ａ）、（ｂ）に示すように、基端鎌部３に形成された係合部８と、鋸部２の基端部に形成された被係合部９とを備えている。図７（ａ）は、基端鎌部３の係合部８を、鋸部２の被係合部９に嵌め込んだ状態を示し、図７（ｂ）は、基端鎌部３を、鋸部２から取り外した状態を示している。
【０００４】
この鋸部２に形成された被係合部９は、凸部９aと係止縁部９ｂとを有しており、この凸部９aは、鋸部２の基端部からこの鋸部２の長さ方向であって、取付け部５側（鋸歯２ａと反対側）に向かう方向に突出している。係止縁部９ｂは、凸部９aの基端部から取付け部５側に向かって直線方向に延びる形状に形成されている。
【０００５】
そして、基端鎌部３に形成された係合部８は、凹部８ａと係止縁部８ｂとを有しており、これらの凹部８ａと係止縁部８ｂは、図７（ａ）に示すように、鋸部２の凸部９aと係止縁部９ｂに対して嵌め込んだ状態で、凹部８ａと凸部９a、及び係止縁部８ｂと係止縁部９ｂとが互いに突き合わされるように形成されている。
【０００６】
次に、図６（ａ）を参照して、この高枝打ち用鎌付き鋸１を使用して、生木の枝を剪定する手順を説明する。まず、作業者が操作ポール６を手で持ってこの高枝打ち用鎌付き鋸１を立てた状態にして、操作ポール６を矢印２７の方向に押し上げる。このようにして、基端鎌部３の鎌刃３ａによって生木の枝２８の外周下部に切れ目を付ける。次に、鋸部２でその切れ目が付いている部分を切断して枝２８を切り落とす。これによって、生木の枝２８を、外皮の下部が切り残しとならないように、綺麗な切断面を形成して切断することができる。このように、綺麗な切断面を形成して切断することができると、切断面を腐敗し難くすることができる。
【０００７】
なお、この高枝打ち用鎌付き鋸１は、図８に示すように、鋸部２及び基端鎌部３のそれぞれは、先端部の断面が逆Ｕ字形状の取付け部５にボルト４で着脱自在に取り付けられているので、鋸部２及び基端鎌部３の一方が、例えば刃（歯）が損傷して使用できなくなった場合に、その使用できなくなったものを交換部品と交換して使用することができる。例えば、図８に示すように、鋸部２が取付け部５にボルト４、４で取り付けられている状態で、基端鎌部３を取付け部５に取り付けているボルト４を取り外すことによって、この基端鎌部３を取付け部５から取り外すことができるし、取付け部５に取り付けることができる。よって、基端鎌部３の交換作業の作業性がよい。
【先行技術文献】
【特許文献】
【０００８】
【特許文献１】意匠登録第１２５５５３９号公報
【考案の概要】
【考案が解決しようとする課題】
【０００９】
しかし、上記従来の高枝打ち用鎌付き鋸１では、図８に示すように、基端鎌部３を取付け部５に取り付けているボルト４が取付け部５の挿通孔５ａから外れてしまうと、この基端鎌部３は、断面が逆Ｕ字形状の取付け部５のスリット状の下側開口部から抜け落ちて、紛失することがある。
【００１０】
このとき、図７（ａ）、（ｂ）に示す基端鎌部３の凹部８ａが鋸部２の凸部９aから外れるのは、この凸部９aは、先細りの山形形状であり、凹部８ａは、その開口の入口部から奥側部に向かうに従って狭くなるような略Ｖ字形状に形成されているからである。
【００１１】
また、図６（ａ）に示すように、基端鎌部３の鎌刃３ａで枝２８の外周下部に切れ目を付けるときに、枝２８からの反力によって基端鎌部３には、押し下げる方向の力が働く。この押下げ力は、断面が逆Ｕ字形状の取付け部５の両側の側板がその間に基端鎌部３を挟み込む挟持力によって保持される。
【００１２】
よって、断面逆Ｕ字形状の取付け部５に基端鎌部３を強力に取り付けるためには、この基端鎌部３の挿通孔５ａに挿通するボルト４を強力に締め付ける必要があるが、高齢者では、ボルト４を強力に締め付けることが困難である。
【００１３】
そして、高枝の剪定作業を行なっているときに、ボルト４が緩むことによって基端鎌部３の取付け部５に対する取付け強度が低下することあり、このように、取付け強度が低下すると、この基端鎌部３の取付け具合にガタが生じ、この基端鎌部３を使用して枝２８の外周下部に切れ目を付け難くなることがある。
【００１４】
本考案は、上記のような課題を解決するためになされたものであり、基端鎌部と鋸部とを互いに一体化させて、互いの係合強度を大きくすることによって、これら基端鎌部及び鋸部を取付け部に強固に取り付けることができる鋸部及び鎌部の取付け構造、並びに高枝打ち用鎌付き鋸を提供することを目的としている。
【課題を解決するための手段】
【００１５】
第１の考案に係る鋸部及び鎌部の取付け構造は、縁部に鋸歯が形成されている板状の鋸部と、この鋸部の基端部に嵌め込むことができ前記鋸部の前記鋸歯が形成されている縁部側から突出し、前記鋸歯が形成されている側に向かう縁部に鎌刃が形成されている基端鎌部と、前記基端鎌部を前記鋸部に嵌め込んだ状態で前記基端鎌部及び前記鋸部が着脱自在に取り付けられ、かつ、操作ポールが取り付けられる取付け部とを備える鋸部及び鎌部の取付け構造において、前記基端鎌部に係合部が形成され、この係合部は、前記鋸部に形成された被係合部に対して係脱自在に嵌め込んで互いに係合させることができ、前記係合部を前記被係合部に嵌め込んだ状態で、前記基端鎌部が、前記鋸部の板面と平行するいずれの方向にも移動しないように係止する形状に、前記係合部及び前記被係合部が形成されていることを特徴とするものである。
【００１６】
第１の考案に係る鋸部及び鎌部の取付け構造によると、例えば木の枝を切り取るときは、まず、基端鎌部の鎌刃によって枝の外周下部に切れ目を付ける。次に、鋸部でその切れ目が付いている部分を切断して枝を切り落とす。これによって、木の枝を、外皮の下部が切り残しとならないように、綺麗な切断面を形成して切断することができる。このように、綺麗な切断面を形成して切断すると、切断面を腐敗し難くすることができる。
【００１７】
そして、鋸部及び基端鎌部は、取付け部に着脱自在に取り付けられているので、鋸部及び基端鎌部の一方が使用できなくなった場合に、その使用できなくなったものを交換部品と交換して使用することができる。
【００１８】
また、基端鎌部の係合部を、鋸部の被係合部に嵌め込むことによってこの基端鎌部を鋸部に係合させる構成であるので、基端鎌部と鋸部とを略同一平面内に配置することができる。これによって、基端鎌部の鎌刃によって形成された枝の外周下部の切れ目の丁度その部分で、その枝を鋸部で切断することができる。その結果、綺麗な切断面で枝を切り落とすことができる。
【００１９】
更に、係合部を被係合部に嵌め込んだ状態で、基端鎌部が、鋸部の板面と平行するいずれの方向にも移動しないように係止する構成であるので、基端鎌部と鋸部とを互いに一体化させることができ、これによって、互いの係合強度を大きくすることができる。よって、係合部を被係合部に嵌め込むことによって、基端鎌部及び鋸部を取付け部に強固に取り付けることができる。
【００２０】
第２の考案に係る鋸部及び鎌部の取付け構造は、第１の考案の鋸部及び鎌部の取付け構造において、前記係合部は、凸部又は凹部を有するものとして形成され、前記被係合部は、凹部又は凸部を有するものとして形成され、前記凸部は、その基端部から先端部に向かうに従って拡大するように形成され、前記凹部は、その開口の入口部から奥側部に向かうに従って拡大するように形成されていることを特徴とするものである。
【００２１】
第２の考案に係る鋸部及び鎌部の取付け構造によると、凸部の先端部が拡大しており、この拡大した凸部の先端部が、凹部の拡大した奥側部に嵌め込まれるので、基端鎌部が、鋸部の板面と平行するいずれの方向にも移動しないように係止することができる。
【００２２】
第３の考案に係る鋸部及び鎌部の取付け構造は、第２の考案に係る鋸部及び鎌部の取付け構において、前記凸部は、その基端部から先端部に向かうに従って両側に拡大するように形成され、前記凹部は、その開口の入口部から奥側部に向かうに従って両側に拡大するように形成されていることを特徴とするものである。
【００２３】
第３の考案に係る鋸部及び鎌部の取付け構造によると、基端鎌部が、鋸部の板面と平行するいずれの方向にも移動しないように強固に係止することができると共に、係合部又は被係合部に働くモーメントに対しても強固に保持できる。しかも、簡単な構造のものとすることができ、安価に製作することができる。
【００２４】
第４の考案に係る鋸部及び鎌部の取付け構は、第１乃至第３のいずれかの考案の鋸部及び鎌部の取付け構において、前記鋸部及び前記基端鎌部は、ボルトによって着脱自在に取付け部に挟み込んで取り付けられていることを特徴とするものである。
【００２５】
第４の考案に係る鋸部及び鎌部の取付け構造によると、ボルトを締め付ける操作、及びボルトを緩める操作によって、鋸部及び基端鎌部を取付け部に対して着脱自在に強固に挟み込んで取り付けることができる。
【００２６】
第５の考案に係る鋸部及び鎌部の取付け構は、第１乃至第４のいずれかの考案の鋸部及び鎌部の取付け構において、前記鋸部の先端部に設けられ、前記鋸部の前記鋸歯が形成されている縁部側から突出する先端鎌部を更に備え、この先端鎌部は、前記鋸歯が形成されている側に向かう縁部に鎌刃が形成されていることを特徴とするものである。
【００２７】
第５の考案に係る鋸部及び鎌部の取付け構造によると、この先端鎌部を例えば引く方向に操作することによって、細い枝を切り取ることができる。そして、枝に引っ掛かっている切り取られた枝や、切断された枝を、この先端鎌部を使用して落下させることができる。
【００２８】
第６の考案に係る高枝打ち用鎌付き鋸は、第１乃至第５のいずれかの考案の鋸部及び鎌部の取付け構造を備え、前記取付け部に前記操作ポールが取り付けられているものである。
【００２９】
第６の考案に係る高枝打ち用鎌付き鋸によると、鋸部及び鎌部の取付け構造は、上記のように作用する。そして、作業者は、この高枝打ち用鎌付き鋸を使用して、高所の生木の枝を綺麗に切り取ったり切断して剪定することができる。
【考案の効果】
【００３０】
第１の考案に係る鋸部及び鎌部の取付け構造、並びに第６の考案に係る高枝打ち用鎌付き鋸によると、基端鎌部の係合部を、鋸部の被係合部に嵌め込んだ状態で、基端鎌部が、鋸部の板面と平行するいずれの方向にも移動しないように係止する構成であるので、基端鎌部と鋸部とを互いに一体化させて、互いの係合強度を大きくすることができる。よって、基端鎌部及び鋸部を取付け部に強固に取り付けることができる。更に、鋸部及び基端鎌部が取付け部に取り付けられた状態で、基端鎌部が鋸部及び取付け部から外れて紛失することを防止することができる。
【図面の簡単な説明】
【００３１】
【図１】この考案の第１実施形態に係る高枝打ち用鎌付き鋸を示す図であり、（ａ）は正面図、（ｂ）は側面図である。
【図２】同第１実施形態に係る高枝打ち用鎌付き鋸が備える鋸部及び鎌部の取付け構造を示す図であり、（ａ）は基端鎌部を鋸部に嵌め込んだ状態を示す部分拡大正面図、（ｂ）は基端鎌部を鋸部から取り外した状態を示す部分拡大正面図である。
【図３】同第１実施形態に係る高枝打ち用鎌付き鋸の基端鎌部を使用して枝の外周下部に切れ目を付けている状態を示す部分拡大正面図である。
【図４】（ａ）は同考案の第２実施形態に係る鋸部及び鎌部の取付け構造を示す部分拡大正面図、（ｂ）は同考案の第３実施形態に係る鋸部及び鎌部の取付け構造を示す部分拡大正面図である。
【図５】（ａ）は同考案の第４実施形態に係る鋸部及び鎌部の取付け構造を示す部分拡大正面図、（ｂ）は同考案の第５実施形態に係る鋸部及び鎌部の取付け構造を示す部分拡大正面図である。
【図６】従来の高枝打ち用鎌付き鋸を示す図であり、（ａ）は正面図、（ｂ）は側面図である。
【図７】同従来の高枝打ち用鎌付き鋸が備える鋸部及び鎌部の取付け構造を示す図であり、（ａ）は基端鎌部を鋸部に嵌め込んだ状態を示す部分拡大正面図、（ｂ）は基端鎌部を鋸部から取り外した状態を示す部分拡大正面図である。
【図８】同従来の高枝打ち用鎌付き鋸の基端鎌部を交換するために外している状態を示す部分拡大正面図である。
【考案を実施するための形態】
【００３２】
以下、本考案に係る鋸部及び鎌部の取付け構造、及びそれを備える高枝打ち用鎌付き鋸の第１実施形態を、図１〜図３を参照して説明する。この高枝打ち用鎌付き鋸１１は、図１（ａ）、（ｂ）に示すように、鋸部１３と、この鋸部１３の基端部に嵌め込まれて係合する基端鎌部１４とを備え、これら鋸部１３及び基端鎌部１４は、取付け部１５にボルト１６、１６、１６で取り付けられている（鋸部及び鎌部の取付け構造１２）。そして、この取付け部１５には、操作ポール１７がボルト１８、１８で取り付けられている。
【００３３】
鋸部１３は、図１（ａ）、（ｂ）に示すように、正面形状が円弧状に形成された板状体であり、この円弧状に形成された鋸部１３の内縁部に所定の範囲に亘っての鋸歯１３ａが形成されている。そして、鋸部１３の先端部に先端鎌部１９が形成されている。
【００３４】
先端鎌部１９は、図１（ａ）に示すように、鋸部１３の鋸歯１３ａが形成されている内縁部側から、操作ポール１７に対して略直行する方向に突出し、鋸歯１３ａが形成されている側に向かう縁部に鎌刃１９ａが形成されている。
【００３５】
基端鎌部１４は、図１（ａ）に示すように、鋸部１３の基端部に嵌め込まれて係合し、先端鎌部１９と同様に、鋸部１３の鋸歯１３ａが形成されている内縁部側から、操作ポール１７に対して略直行する方向に突出している。そして、基端鎌部１４は、鋸歯１３ａが形成されている側に向かう縁部に鎌刃１４ａが形成されている。
【００３６】
このように、先端鎌部１９及び基端鎌部１４は、図１（ａ）に示すように、鋸部１３の先端部及び基端部に設けられ、鋸歯１３ａが形成されている内縁部側から同方向に突出し、これら先端鎌部１９及び基端鎌部１４の互いに向かい合う側の縁部にそれぞれ鎌刃１９ａ、１４ａが形成されている。鋸歯１３ａは、鋸部１３の縁部であって、先端鎌部１９と基端鎌部１４との間の範囲に亘って形成されている。
【００３７】
そして、これら先端鎌部１９を有する鋸部１３、及び基端鎌部１４は、略同一の厚みに形成された板状体であり、図１（ｂ）から分かるように、基端鎌部１４を鋸部１３に嵌め込んで係合させた状態で、１枚の板状体となるように形成されている。
【００３８】
次に、図２（ａ）、（ｂ）を参照して、鋸部及び鎌部の取付け構造１２を説明する。この鋸部及び鎌部の取付け構造１２は、基端鎌部１４に形成された係合部２０と、鋸部１３の基端部に形成された被係合部２１とを備えている。図２（ａ）は、基端鎌部１４の係合部２０を、鋸部１３の被係合部２１に嵌め込んだ状態を示し、図２（ｂ）は、基端鎌部１４を、鋸部１３から取り外した状態を示している。
【００３９】
この基端鎌部１４に形成された係合部２０は、鋸部１３に形成されている被係合部２１に対して係脱自在に嵌め込んで互いに係合させることができるものである。そして、これら係合部２０及び被係合部２１は、図２（ａ）に示すように、係合部２０を被係合部２１に嵌め込んだ状態で、基端鎌部１４が、鋸部１３の板面と平行するいずれの方向にも移動しないように係止する形状に形成されている。
【００４０】
鋸部１３に形成された被係合部２１は、図２（ａ）、（ｂ）に示すように、凹部２２と係止縁部２３とを有している。この凹部２２は、鋸部１３の基端部の鋸歯１３ａが形成されている縁部側に切り欠かれて形成されている。そして、凹部２２は、その開口の入口部２２ａから奥側部に向かうに従って両側にテーパ状に拡大するように形成されている。そして、係止縁部２３は、凹部２２の入口部２２ａを形成する取付け部１５側の縁部（鋸歯１３ａと反対側の縁部）から、その取付け部１５側に向かって直線方向に延びる形状に形成されている。
【００４１】
そして、基端鎌部１４に形成された係合部２０は、凸部２４と係止縁部２５とを有している。これらの凸部２４と係止縁部２５は、図２（ａ）に示すように、鋸部１３の凹部２２と係止縁部２３に対して嵌め込んだ状態で、凸部２４と凹部２２、及び係止縁部２５と係止縁部２３とが互いに突き合わされる形状に形成されている。
【００４２】
よって、凸部２４は、その基端部から先端部に向かうに従って両側にテーパ状に拡大するように形成されている。そして、係止縁部２５は、凸部２４の基端部を形成する取付け部１５側の縁部（鋸歯１３ａと反対側の縁部）から、その取付け部１５側に向かって直線方向に延びる形状に形成されている。
【００４３】
次に、図１及び図３を参照して、取付け部１５を説明する。取付け部１５は、図１（ａ）、（ｂ）から分かるように、先端部の断面形状が逆Ｕ字形状に形成されている。そして、その先端部の互いに対向する一対の側板１５ａ、１５ａの間には、基端鎌部１４の係合部２０を鋸部１３の被係合部２１に嵌め込んで互いに係合させた状態で、その互いに係合する係合部２０及び被係合部２１を着脱自在に装着することができる構成となっている。
【００４４】
そして、取付け部１５の先端部を形成する一対の側板１５ａ、１５ａに形成された２つの挿通孔、及びこの一対の側板１５ａ、１５ａの間に挟み込まれている鋸部１３の基端部に形成された２つの挿通孔にそれぞれボルト１６、１６を通して締め付けることによって、鋸部１３の基端部を取付け部１５の先端部に着脱自在に固定して取り付けることができる。
【００４５】
また、取付け部１５の先端部を形成する一対の側板１５ａ、１５ａに形成された１つの挿通孔、及びこの一対の側板１５ａ、１５ａの間に挟み込まれている基端鎌部１４の凸部２４に形成された１つの挿通孔にボルト１６を通して締め付けることによって、基端鎌部１４を取付け部１５の先端部に着脱自在に固定して取り付けることができる。
【００４６】
また、取付け部１５の基端部は、図１（ａ）、（ｂ）に示すように、２つ割の略円筒形状に形成され、この基端部に操作ポール１７の先端部を着脱自在に差し込んで取り付けることができるように構成されている。そして、操作ポール１７の先端部を取付け部１５の基端部に差し込んだ状態で、２本のボルト１８、１８を使用して互いに結合している。
【００４７】
操作ポール１７は、４段式の伸縮自在のものである。そして操作ポール１７を所望の長さに調整した状態で、３つの各ロック機構２６を操作することによって、所望の長さの状態に固定することができるようになっている。
【００４８】
次に、図１及び図３を参照して、上記のように構成された高枝打ち用鎌付き鋸１１を使用して、生木の枝２８を剪定する手順を説明する。まず、作業者が所望の長さに調整した操作ポール１７を手で持ってこの高枝打ち用鎌付き鋸１１を立てた状態にして、操作ポール１７を図１に示す矢印２７の方向に押し上げる。このようにして、基端鎌部１４の鎌刃１４ａによって生木の枝２８の外周下部に切れ目を付ける。次に、鋸部１３でその切れ目が付いている部分を切断して枝２８を切り落とす。これによって、生木の枝２８を、外皮の下部が切り残しとならないように、綺麗な切断面を形成して切断することができる。このように、綺麗な切断面を形成して切断すると、切断面を腐敗し難くすることができる。
【００４９】
また、上記のように構成された鋸部及び鎌部の取付け構造１２によると、図１（ａ）、（ｂ）に示すように、鋸部１３の基端部及び基端鎌部１４のそれぞれは、取付け部１５に３本のボルト１６を使用して着脱自在に取り付けられているので、鋸部１３及び基端鎌部１４のいずれか一方、又は両方が、例えば刃（歯）の損傷によって使用できなくなった場合に、その使用できなくなったものを交換部品と交換して使用することができる。よって、これらの鋸部１３及び基端鎌部１４を経済的に使用することができる。
【００５０】
ただし、鋸部１３及び基端鎌部１４のいずれか一方、又は両方を交換するときは、まず、３本の全てのボルト１６を取り外して、これら鋸部１３及び基端鎌部１４の両方を取付け部１５から取り外す必要がある。しかる後に、鋸部１３及び基端鎌部１４のいずれか一方、又は両方を交換部品と交換して、両者を互いに嵌め込んで係合させ、この係合させた状態で取付け部１５に装着してボルト１６で固定する。
【００５１】
そして、図２（ａ）、（ｂ）に示すように、係合部２０及び被係合部２１は、基端鎌部１４の係合部２０を、鋸部１３の被係合部２１に嵌め込むことによってこの基端鎌部１４を鋸部１３に係合させる構成であるので、基端鎌部１４と鋸部１３とを略同一平面内に配置することができる。これによって、基端鎌部１４の鎌刃１４ａによって形成された枝２８の外周下部の切れ目の丁度その部分で、その枝２８を鋸部１３で切断することができる。その結果、綺麗な切断面で枝２８を切り落とすことができる。
【００５２】
また、図２及び図３に示すように、係合部２０及び被係合部２１は、係合部２０を被係合部２１に嵌め込んだ状態で、基端鎌部１４が、鋸部１３の板面と平行するいずれの方向にも移動しないように係止する構成であるので、基端鎌部１４と鋸部１３とを互いに一体化させることができ、これによって、基端鎌部１４及び鋸部１３の互いの係合強度を大きくすることができる。よって、係合部２０を被係合部２１に嵌め込んで互いに係合させることによって、基端鎌部１４及び鋸部１３を取付け部１５に強固に取り付けることができる。
【００５３】
このように、この鋸部及び鎌部の取付け構造１２は、係合部２０を被係合部２１に嵌め込むことによって、基端鎌部１４が、鋸部１３の板面と平行するいずれの方向にも移動しないように係止する構成であるので、安価に製作することができる。
【００５４】
ここで、図２（ａ）を参照して、基端鎌部１４の係合部２０を、鋸部１３の被係合部２１に嵌め込んだ状態であって、基端鎌部１４をボルト１６で取付け部１５に固定していない状態で、基端鎌部１４が、鋸部１３の板面と平行するいずれの方向にも移動しないように係止することができることについて説明する。
【００５５】
図２（ａ）において、基端鎌部１４に対して左右の各方向に向かわせる力が掛かると、基端鎌部１４に形成されている凸部２４の左右の各外縁部が、鋸部１３に形成されている凹部２２の左右の各内縁部と当接するので、基端鎌部１４が左右の各方向に移動しないように係止することができる。
【００５６】
そして、図２（ａ）に示す凹部２２は、その開口の入口部２２ａから奥側部に向かうに従って両側に拡大するように形成してあるので、上記のように凸部２４の左右の各外縁部が、凹部２２の左右の各内縁部を押圧するときに、外縁部及び内縁部に沿う方向の凸部２４に働く分力は、凹部２２の奥側に向かう。従って、基端鎌部１４に対して左右の各方向に向かわせる力が掛かると、凸部２４が凹部２２の奥側に入り込む力として働き、凸部２４が凹部２２の入口部２２ａを通って抜け出ることはなく、基端鎌部１４が鋸部１３に対して左右の各方向に移動しないように係止することができる。
【００５７】
そして、図２（ａ）において、基端鎌部１４に対して下方向に向かわせる力が掛かると、基端鎌部１４に形成されている凸部２４の左右の各外縁部が、鋸部１３に形成されている凹部２２の左右の各内縁部と当接するので、基端鎌部１４が下方向に移動しないように係止することができる。つまり、凸部２４の先端部は、凹部２２の入口部２２ａよりも横幅が大きく形成されているので、凸部２４が凹部２２の入口部２２ａを通って外れることはない。
【００５８】
また、図２（ａ）において、基端鎌部１４に対して上方向に向かわせる力が掛かると、基端鎌部１４に形成されている凸部２４の先端外縁部が、鋸部１３に形成されている凹部２２の奥側内縁部と当接するので、基端鎌部１４が上方向に移動しないように係止することができる。
【００５９】
このように、基端鎌部１４の係合部２０を、鋸部１３の被係合部２１に嵌め込んだ状態で、基端鎌部１４がボルト１６で取付け部１５に固定されていないときでも、この係合部２０及び非係合部２０は、基端鎌部１４が、鋸部１３の板面と平行するいずれの方向にも移動しないように係止することができる。
【００６０】
更に、上記のように係合部２０及び被係合部２１は、係合部２０を被係合部２１に嵌め込んだ状態で、基端鎌部１４をボルト１６で取付け部１５に固定していなくても、基端鎌部１４が、鋸部１３の板面と平行するいずれの方向にも移動しないように係止することができるので、鋸部１３及び基端鎌部１４が取付け部１５に取り付けられた状態で、基端鎌部１４を取付け部１５に取り付けているボルト１６が緩んで抜け落ちることがあったとしても、基端鎌部１４が鋸部１３及び取付け部１５から外れて紛失することを防止することができる。
【００６１】
このように、基端鎌部１４を取付け部１５に取り付けているボルト１６が緩んで抜け落ちる場合として、基端鎌部１４を使用して枝２８に切れ目を付ける作業をしているときに、自然に起こる場合と、作業者が高齢者の場合であって、ボルト１６を強力に締め付けることができない場合が考えられる。
【００６２】
そして、図２（ａ）に示すように、係合部２０が有している凸部２４は、その基端部から先端部に向かうに従って両側に拡大するように形成されている。そして、被係合部２１が有している凹部２２は、その開口の入口部２２ａから奥側部に向かうに従って両側に拡大するように形成されている。従って、基端鎌部１４が、鋸部１３の板面と平行するいずれの方向にも移動しないように強固に係止することができると共に、係合部２０又は被係合部２１に働くモーメントに対しても強固に保持できる。しかも、簡単な構造のものとすることができ、安価に製作することができる。
【００６３】
このように、係合部２０又は被係合部２１に働くモーメントに対しても強固に保持できるのは、凸部２４の先端部が左右両側に拡大しているからであり、係合部２０にモーメントが働くと、凸部２４の左右の各側に拡大している部分が、凹部２２の奥側部における左右の各側に拡大する空間部分を形成するそれぞれの内縁部に当接するからである。
【００６４】
また、図１及び図２に示すように、鋸部１３及び基端鎌部１４は、ボルト１６、１６、１６によって着脱自在に取付け部１５に取り付けられているので、ボルト１６、１６、１６を締め付ける操作、及びボルト１６、１６、１６を緩める操作によって、鋸部１３及び基端鎌部１４を取付け部１５に対して着脱自在に強固に取り付けることができる。よって、作業者は、鋸部１３若しくは基端鎌部１４、又はその両方を簡単に交換することができ、作業性がよい。
【００６５】
更に、図１及び図２に示すように、鋸部１３の先端部に先端鎌部１９が形成されているので、作業者は、操作ポール１７を手で持って、先端鎌部１９を例えば引く方向に操作することによって、細い枝を簡単に切り落とすことができる。そして、枝に引っ掛かっている切り取られた枝や、切断された枝を、この先端鎌部１９を使用して落下させることができる。
【００６６】
このように、作業者は、図１〜図３に示す高枝打ち用鎌付き鋸１１を使用して、高所の生木の枝２８を綺麗に切り取ったり切断して剪定することができる。
【００６７】
次に、本考案に係る鋸部及び鎌部の取付け構造（以下、単に「取付け構造」と言うこともある。）の第２実施形態を、図４（ａ）を参照して説明する。この図４（ａ）に示す第２実施形態の取付け構造３０と、図２（ａ）、（ｂ）に示す第１実施形態の取付け構造１２とが相違するところは、係合部３１、２０及び被係合部３２、２１の正面形状が相違するところである。これ以外は、第１実施形態と同等であり、同等部分を同一の図面符号で示し、それら同等部分の説明を省略する。
【００６８】
つまり、図２（ａ）、（ｂ）に示す第１実施形態の鋸部１３の被係合部２１に形成されている凹部２２は、その開口する入口部２２ａから奥側部に向かうに従って両側にテーパ状に拡大するように形成されているのに対して、図４（ａ）に示す第２実施形態の鋸部１３の被係合部３２に形成されている凹部３３は、その開口する入口部３３ａから奥側部に向かうに従って両側に拡大するように形成され、この凹部３３の奥側部が、略長円形に形成されている。そして、被係合部３２に形成されている係止縁部３４、３４は、凹部３３の入口部３３ａを形成する取付け部１５側及び鋸歯１３ａ側のそれぞれの各縁部から、取付け部１５側及び鋸歯１３ａ側の各側に向かって延びる形状に形成されている。
【００６９】
そして、基端鎌部１４に形成された係合部３１は、凸部３５と係止縁部３６、３６とを有している。これらの凸部３５と係止縁部３６、３６は、図４（ａ）に示すように、鋸部１３の凹部３３と係止縁部３４、３４に対して嵌め込んだ状態で、凸部３５と凹部３３、及び係止縁部３６、３６と係止縁部３４、３４とが互いに突き合わされる形状に形成されている。
【００７０】
よって、凸部３５は、その基端部から先端部に向かうに従って両側に拡大するように形成され、先端部が略長円形に形成されている。そして、係止縁部３６、３６は、凸部３５の基端部を形成する取付け部１５側及び鋸歯１３ａ側のそれぞれの各縁部から、それぞれ取付け部１５側及び鋸歯１３ａ側の各側に向かって直線方向に延びる形状に形成されている。
【００７１】
次に、本考案に係る鋸部及び鎌部の取付け構造の第３実施形態を、図４（ｂ）を参照して説明する。この図４（ｂ）に示す第３実施形態の取付け構造３８と、図４（ａ）に示す第２実施形態の取付け構造３０とが相違するところは、係合部３９、３１及び被係合部４０、３２の正面形状が相違するところである。これ以外は、第２実施形態と同等であり、同等部分を同一の図面符号で示し、それら同等部分の説明を省略する。
【００７２】
つまり、図４（ｂ）に示す第３実施形態の基端鎌部１４に形成された係合部３９（凹部３３及び係止縁部３４、３４）は、図４（ａ）に示す第２実施形態の鋸部１３に形成された被係合部３２（凹部３３及び係止縁部３４、３４）と同等の形状である。そして、図４（ｂ）に示す第３実施形態の鋸部１３に形成された被係合部４０（凸部３５及び係止縁部３６、３６）は、図４（ａ）に示す第２実施形態の基端鎌部１４に形成された係合部３１（凸部３５及び係止縁部３６、３６）と同等の形状である。
【００７３】
次に、本考案に係る鋸部及び鎌部の取付け構造の第４実施形態を、図５（ａ）を参照して説明する。この図５（ａ）に示す第４実施形態の取付け構造４２と、図４（ｂ）に示す第３実施形態の取付け構造３８とが相違するところは、係合部４３、３９及び被係合部４４、４０の正面形状が相違するところである。これ以外は、第３実施形態と同等であり、同等部分を同一の図面符号で示し、それら同等部分の説明を省略する。
【００７４】
つまり、図４（ｂ）に示す第３実施形態の基端鎌部１４の係合部３９に形成されている凹部３３は、その開口する入口部３３ａから奥側部に向かうに従って両側に拡大するように形成され、この凹部３３の奥側部が、略長円形に形成されているのに対して、図５（ａ）に示す第４実施形態の基端鎌部１４の係合部４３に形成されている凹部４５は、その開口する入口部４５ａから奥側部に向かうに従って両側にテーパ状に拡大するように形成されている。
【００７５】
そして、係合部４３に形成されている係止縁部３４、３４は、凹部４５の入口部４５ａを形成する取付け部１５側及び鋸歯１３ａ側のそれぞれの各縁部から、取付け部１５側及び鋸歯１３ａ側の各側に向かって直線方向に延びる形状に形成されている。
【００７６】
そして、鋸部１３に形成された被係合部４４は、凸部４６と係止縁部３６、３６とを有している。これらの凸部４６と係止縁部３６、３６は、図５（ａ）に示すように、基端鎌部１４の凹部４５と係止縁部３４、３４が嵌め込まれた状態で、凸部４６と凹部４５、及び係止縁部３６、３６と係止縁部３４、３４とが互いに突き合わされる形状に形成されている。
【００７７】
よって、凸部４６は、その基端部から先端部に向かうに従って両側に拡大するようにテーパ状に形成されている。そして、係止縁部３６、３６は、凸部４６の基端部を形成する取付け部１５側及び鋸歯１３ａ側のそれぞれの各縁部から、それぞれ取付け部１５側及び鋸歯１３ａ側の各側に向かって直線方向に延びる形状に形成されている。
【００７８】
次に、本考案に係る鋸部及び鎌部の取付け構造の第５実施形態を、図５（ｂ）を参照して説明する。この図５（ｂ）に示す第５実施形態の取付け構造４８と、図５（ａ）に示す第４実施形態の取付け構造４２とが相違するところは、係合部４９、４３及び被係合部５０、４４の正面形状が相違するところである。これ以外は、第４実施形態と同等であり、同等部分を同一の図面符号で示し、それら同等部分の説明を省略する。
【００７９】
つまり、図５（ｂ）に示す第５実施形態の基端鎌部１４に形成された係合部４９（凸部４６及び係止縁部３６、３６）は、図５（ａ）に示す第４実施形態の鋸部１３に形成された被係合部４４（凸部４６及び係止縁部３６、３６）と同等の形状である。そして、図５（ｂ）に示す第５実施形態の鋸部１３に形成された被係合部５０（凹部４５及び係止縁部３４、３４）は、図５（ａ）に示す第４実施形態の基端鎌部１４に形成された係合部４３（凹部４５及び係止縁部３４、３４）と同等の形状である。
【００８０】
ただし、上記各実施形態では、図２〜図５に示すように、被係合部２１等が有する凹部２２等は、開口の入口部２２ａ等から奥側部に向かうに従って両側に拡大するように形成したが、これに代えて、その開口の入口部２２ａ等から奥側部に向かうに従って、左右いずれか一方の片側に拡大するように形成してもよい。このようにしたときは、この凹部に嵌め込まれる係合部が有する凸部は、その凹部と対応する形状であって、基端部から先端部に向かうに従って、対応する側の片側に拡大するように形成する。
【００８１】
そして、上記各実施形態では、図１（ａ）に示すように、鋸部１３の先端部に先端鎌部１９を形成したが、この先端鎌部１９を設けないものとしてもよい。
【産業上の利用可能性】
【００８２】
以上のように、本考案に係る鋸部及び鎌部の取付け構造、並びに高枝打ち用鎌付き鋸は、基端鎌部と鋸部とを互いに一体化させて、互いの係合強度を大きくすることによって、これら基端鎌部及び鋸部を取付け部に強固に取り付けることができる優れた効果を有し、このような鋸部及び鎌部の取付け構造、並びに高枝打ち用鎌付き鋸に適用するのに適している。
【符号の説明】
【００８３】
１１  高枝打ち用鎌付き鋸
１２  鋸部及び鎌部の取付け構造
１３  鋸部
１３ａ  鋸歯
１４  基端鎌部
１４ａ  鎌刃
１５  取付け部
１５ａ  側板
１６、１８  ボルト
１７  操作ポール
１９  先端鎌部
１９ａ  鎌刃
２０  係合部
２１  被係合部
２２  凹部
２２ａ  入口部
２３、２５  係止縁部
２４  凸部
２６  ロック機構
２７  矢印
２８  枝
３０  鋸部及び鎌部の取付け構造
３１  係合部
３２  被係合部
３３  凹部
３３ａ  入口部
３４  係止縁部
３５  凸部
３６  係止縁部
３８  鋸部及び鎌部の取付け構造
３９  係合部
４０  被係合部
４２  鋸部及び鎌部の取付け構造
４３  係合部
４４  被係合部
４５  凹部
４５ａ  入口部
４６  凸部
４８  鋸部及び鎌部の取付け構造
４９  係合部
５０  被係合部
【図１】
0003153730.tif 000003
【図２】
0003153730.tif 000004
【図３】
0003153730.tif 000005
【図４】
0003153730.tif 000006
【図５】
0003153730.tif 000007
【図６】
0003153730.tif 000008
【図７】
0003153730.tif 000009
【図８】
0003153730.tif 000010